(57)【要約】【課題】アピール用表示がアピール力を十分に発揮することができるうえ、使い勝手のよいアピール用表示プレートを提供する。【解決手段】アピール用表示が表面に施されている３枚以上のリーフ状プレート２〜５を備えており、各リーフ状プレート２〜５は一側縁２ａ〜５ａが全て１つに纏まっていて、一側縁２ａ〜５ａと対向する他側縁２ｂ〜５ｂに向けて放射状に拡がり、他側縁２ｂ〜５ｂが全て散開している構成とされている。各リーフ状プレート２〜５の挿着側もしくは立置側の端部を、プレート挿着用もしくはプレート立置用の脚片２Ａ〜５Ａとする構成としたことを特徴とするアピール用表示プレート。【選択図】図１
0003113865.tif 000002
【実用新案登録請求の範囲】
【請求項１】
アピール用表示が表面に施されている３枚以上のリーフ状プレートを備えており、各リーフ状プレートは一側縁が全て１つに纏まっていて、一側縁と対向する他側縁に向けて放射状に拡がり、他側縁が全て散開している構成とされているのに加え、各リーフ状プレートの挿着側もしくは立置側の端部をプレート挿着用もしくはプレート立置用の脚片とする構成としたことを特徴とするアピール用表示プレート。
【請求項２】
４枚のリーフ状プレートを備えていて、各リーフ状プレートが、四方に向けて拡がっている請求項１記載のアピール用表示プレート。
【請求項３】
２枚のリーフ状プレートを一側縁で繋ぎ合わせた大きさと可撓性をもつプレート基材を２枚有し、一方のプレート基材には、両リーフ状プレートの一側縁寄りの両端側が一定寸法の長さの処だけ繋ぎ目のままで残る以外は切り離す切り込みが入れられていることにより、２枚のリーフ状プレートになっていると共に、他方のプレート基材には、一方のプレート基材の切れ込みに対応する処だけ繋ぎ目のままで残る以外は切り離す切り込みが一側縁寄りの両端側から入れられていることにより、残りの２枚のリーフ状プレートになっているのに加え、前記一方と他方のプレート基材は、互いに継ぎ目が相手側の切り込みに嵌め込まれて直角もしくは斜めに交わった状態で組み合わされていることによって、前記４枚のリーフ状プレートは、一側縁が全て１つに纏まっている一方で、他側縁が全て散開している状態となっている請求項２記載のアピール用表示プレート。
【請求項４】
リーフ状プレートを畳んでリーフ状プレートを重ね合わせることにより、全体を１枚のフラットなプレートの状態にすることができる請求項１〜３のいずれか１項記載のアピール表示プレート。
【請求項５】
前記アピール用表示が、パチンコ台での大量出球の出現、あるいは、スロットマシーンでの大量出コインの出現をアピールする構成とした請求項１〜４のいずれか１項記載のアピール用表示プレート。
【考案の詳細な説明】
【技術分野】
【０００１】
本考案は立体式アピール用表示プレートに関し、例えば、パチンコ台での大量出球（大ヒット）の出現を視覚的にアピールするアピール用表示が表面に施されているアピール用表示プレートに関する。
【背景技術】
【０００２】
従来、パチンコ店では、図９に示す出球アピール用表示プレート５１を、遊戯客を集める手だての１つとして使用している。出球アピール用表示プレート５１の場合、パチンコ台のヒットに伴う大量出球の出現を視覚的にアピールする出球アピール用表示Ｑが表面に施されている。パチンコ台で大量出球が出現すると、店員が、図１０に示すように、大量出球で球入れ箱５２からあふれ出さんとするほどのパチンコ球Ｐの山へ、出球アピール用表示プレート５１の端部５１Ａを押し挿してゆく。
【０００３】
その結果、大量出球を果たした遊戯客だけでなく、店内の他の遊戯客でも、この出球アピール用表示Ｑを目にした者は、大量出球の出現を意識せざるを得ず、大量出球を実現した遊戯客のみならず他の客も遊戯意欲を強くかきたてられる。このように出球アピール用表示プレート５１は、大いに集客機能を発揮することとなる。出球アピール用表示Ｑが表面に施された出球アピール用表示プレート５１は、店頭広告あるいはＰＯＰ広告として広く採用されている。
【考案の開示】
【考案が解決しようとする課題】
【０００４】
しかしながら、上記従来の出球アピール用表示プレート５１は、平面的であるため、出球アピール用表示Ｑがもつアピール力を十分に発揮することができていない。
【０００５】
出球アピール用表示Ｑが遊戯客の目に止まれば、出球アピール用表示プレート５１は集客機能を発揮できるが、出球アピール用表示Ｑが遊戯客の目に止まらなければ、出球アピール用表示プレート５１は集客機能を発揮することはできない。つまり、出球アピール用表示Ｑを正面あるいは裏面から見る遊戯客には、出球アピール用表示Ｑが確実に目に止まるが、出球アピール用表示Ｑを横や斜め方向から見る遊戯客には、出球アピール用表示Ｑが、事実上、目に止まらない。
【０００６】
このように、出球アピール用表示プレート５１が出球をアピールできる客は、出球アピール用表示Ｑを正面または裏面からまともに見る客に限られてしまうので、出球アピール用表示プレート５１の場合、出球アピール用表示Ｑがもつアピール力を十分に活かせられていないのである。
【０００７】
ただ、出球アピール用表示Ｑがもつアピール力を十分に発揮できるようになったとしても、もし出球アピール用表示プレート５１の使い勝手が悪くなってしまっては、実用性に欠けるという事態が起こるので、問題を適切に解決できたことにはならない。
【０００８】
そこで、本考案は上記従来技術の実情に鑑みてなされたもので、その課題は、アピール用表示がアピール力を十分に発揮することができるうえ、使い勝手のよいアピール用表示プレートを提供することにある。
【課題を解決するための手段】
【０００９】
上記課題は、各請求項記載の考案により達成される。すなわち、本考案に係るアピール用表示プレートの特徴構成は、アピール用表示が表面に施されている３枚以上のリーフ状プレートを備えており、各リーフ状プレートは一側縁が全て１つに纏まっていて、一側縁と対向する他側縁に向けて放射状に拡がり、他側縁が全て散開している構成とされているのに加え、各リーフ状プレートの挿着側もしくは立置側の端部をプレート挿着用もしくはプレート立置用の脚片とする構成としたことにある。
【００１０】
この構成によれば、このアピール用表示プレートを使用する場合、プレート挿着用もしくはプレート立置用の脚片であるリーフ状プレートの挿着側もしくは立置側の端部を押し挿すか、据え置くかするだけでアピール用表示プレートは挿着あるいは立置される。したがって、このアピール用表示プレートは、使い勝手が極めてよい。
【００１１】
加えて、本考案のアピール用表示プレートの場合、挿着もしくは立置された状態では、アピール用表示が表面に施されている３枚以上の各リーフ状プレートは、全て１つに纏まっている一側縁から対向する他側縁へ向けて放射状に延びて他側縁が全て散開していて、アピール用表示プレートを見る方向の如何にかかわらず、アピール用表示プレートを見た時にアピール用表示が非常に目に止まり易いので、視覚的面白さに溢れたアピール用表示がアピール力を存分に発揮できる。
【００１２】
それに、挿着もしくは立置されたアピール用表示プレートは、３枚以上のリーフ状プレートが放射状に開いていることにより、全体の形が立体的となるので、アピール用表示プレート自体が目立ち易く、アピール用表示がアピール力を発揮できる確率が高い。
【００１３】
よって、本考案のアピール用表示プレートによれば、アピール用表示がアピール力を十分に発揮することができるうえ、使い勝手がよい。
【００１４】
本考案の好ましい実施形態として、４枚のリーフ状プレートを備えていて、各リーフ状プレートが、四方に向けて拡がっている形態が挙げられる。
【００１５】
この実施形態によれば、アピール用表示が施されている４枚のリーフ状プレートが四方へ向けて拡がっているので、アピール用表示がアピール用表示プレートを見る人の目に、一層止まり易くなるので、アピール力が十二分に発揮できる。
【００１６】
本考案の他の好ましい実施形態として、２枚のリーフ状プレートを一側縁で繋ぎ合わせた大きさと可撓性をもつプレート基材を２枚有し、一方のプレート基材には、両リーフ状プレートの一側縁寄りの両端側が一定寸法の長さの処だけ繋ぎ目のままで残る以外は切り離す切り込みが入れられていることにより、２枚のリーフ状プレートになっていると共に、他方のプレート基材には、一方のプレート基材の切れ込みに対応する処だけ繋ぎ目のままで残る以外は切り離す切り込みが一側縁寄りの両端側から入れられていることにより、残りの２枚のリーフ状プレートになっているのに加え、前記一方と他方のプレート基材は、互いに継ぎ目が相手側の切り込みに嵌め込まれて直角もしくは斜めに交わった状態で組み合わされていることによって、前記４枚のリーフ状プレートは、一側縁が全て１つに纏まっている一方で、他側縁が全て散開している状態となっている形態が挙げられる。
【００１７】
この実施形態によれば、２枚のリーフ状プレートを一側縁で繋ぎ合わせた大きさと可撓性を持つ２枚のプレート基材に対して切り込みを入れてから、プレート基材の可撓性を利用して、互いに継ぎ目を相手側の切り込みに嵌め込んでプレート基材同士が直角もしくは斜めに交わった状態で組み付ける程度の簡単な作業で、４枚のリーフ状プレートを備えたアピール用表示プレートの機械加工と組み立てが行なえる。
【００１８】
本考案の他の好ましい実施形態として、リーフ状プレートを畳んでリーフ状プレートを重ね合わせることにより、全体を１枚のフラットなプレートの状態にすることができる形態が挙げられる。
【００１９】
この実施形態によれば、リーフ状プレートを畳んでリーフ状プレートを重ね合わせることにより、全体を１枚のフラットなプレートの状態にして取り扱えるので、使い勝手の面で有利である。畳んで重ね合わせてフラットにして幾つも積み重ねると、保管にも持ち運びにも便利である
本考案の他の好ましい実施形態として、前記アピール用表示が、パチンコ台での大量出球の出現、あるいは、スロットマシーンでの大量出コインの出現をアピールする構成とした形態が挙げられる。
【００２０】
この実施形態によれば、パチンコ台での大量出球の出現、あるいは、スロットマシーンでの大量出コインの出現を十分にアピールすることができる。
【考案を実施するための最良の形態】
【００２１】
本考案の実施の形態を、図面を参照して詳しく説明する。
【００２２】
〔実施形態１〕
図１は、本考案の実施形態１の出球アピール表示プレート（以下、適宜「アピール表示プレート」と略記）を立置状態で示す斜視図、図２は実施形態１のアピール表示プレートを分解状態で示す平面図、図３は実施形態１のアピール表示プレートを折り畳み状態で示す斜視図である。
【００２３】
図１に示す実施形態１の出球アピール表示プレート１は、パチンコ台での大量出球が実現した時に用いられるプレートであって、パチンコ台での大量出球の実現を顕著に表現するアピール用表示ＰＡ，ＰＢが表裏の両表面に施されている４枚のリーフ状プレート２〜５を備えている。
【００２４】
これら各リーフ状プレート２〜５は、一側縁２ａ〜５ａが全て１つに纏まっていて、一側縁２ａ〜５ａと対向する他側縁２ｂ〜５ｂに向け四方に放射状に拡がって、各リーフ状プレート２〜５の他側縁２ｂ〜５ｂが全て適当な間隔で散開している構成とされているのに加え、各リーフ状プレート２〜５の挿着側もしくは立置側の端部２Ａ〜５Ａがプレート挿着用もしくはプレート立置用の脚片となっている構成とされている。
【００２５】
加えて、実施形態１のアピール表示プレート１の場合、図２に示すように、２枚のリーフ状プレート２，３の一側縁２ａ，３ａで繋ぎ合わせた大きさと可撓性をもつ厚紙基材などのプレート基材ＰＢ１と、２枚のリーフ状プレート４，５を一側縁４ａ，５ａで繋ぎ合わせた大きさと可撓性をもつ厚紙基材などのプレート基材ＰＢ２とが、リーフ状プレート２〜５のために用いられている。
【００２６】
すなわち、一方のプレート基材ＰＢ１には、図２の上側に示すように、両リーフ状プレート２，３の一側縁２ａ，３ａ寄りの両端側が一定寸法の長さの処だけ繋ぎ目ＰＢ１ａ，ＰＢ１ｂのままで残る以外は、切り離す切り込みＰＢ１Ａが入れられていることにより、２枚のリーフ状プレート２，３となっている。
【００２７】
逆に、他方のプレート基材ＰＢ２には、図２の下側に示すように、一方のプレート基材ＰＢ１の切れ込みＰＢ１Ａに対応する処だけ繋ぎ目ＰＢ２ａのままで残る以外は、切り離す切り込みＰＢ２Ａ，ＰＢ２Ｂが一側縁４ａ，５ａ寄りの両端側から入れられていることによって、残り２枚のリーフ状プレート２，３となっている。
【００２８】
さらに、一方と他方のプレート基材ＰＢ１，ＰＢ２は、互いに継ぎ目ＰＢ１ａ，ＰＢ１ｂ，ＰＢ２ａが相手側の切り込みＰＢ１Ａ，ＰＢ２Ａ，ＰＢ２Ｂに嵌め込まれて、直交状態もしくは斜交状態で組み付けられていることによって、各リーフ状プレート２〜５は、一側縁２ａ〜５ａが全て１つに纏まっている一方で、一側縁２ａ〜５ａと対向する他側縁２ｂ〜５ｂに向けて放射状に拡がって、他側縁２ｂ〜５ｂが全て散開している状態となっている。継ぎ目ＰＢ１ａ，ＰＢ１ｂ，ＰＢ２ａは組み付けられた両プレート基材ＰＢ１，ＰＢ２の抜け止めの役割を果たすので、アピール表示プレート１の組み立て状態が簡単に解けるようなことはない。
【００２９】
したがって、実施形態１のアピール表示プレート１の場合、２枚のリーフ状プレート２，３の大きさと可撓性を持つ２枚のプレート基材ＰＢ１と、２枚のリーフ状プレート４，５の大きさと可撓性を持つ２枚のプレート基材ＰＢ２に対して切り込みを入れてから、プレート基材ＰＢ１，ＰＢ２の可撓性を利用して、互いに継ぎ目ＰＢ１ａ，ＰＢ１ｂ，ＰＢ２ａを相手側の切り込みＰＢ１Ａ，ＰＢ２Ａ，ＰＢ２Ｂに嵌め込んでプレート基材ＰＢ１，ＰＢ２同士が直交状態もしくは斜交状態で組み付ける程度の簡単な作業で、図１に示すように、４枚のリーフ状プレート２〜５を備えた出球アピール用表示プレート１の機械加工と組み立てが行なえる。
【００３０】
さらに、実施形態１のアピール用表示プレート１は、図３に示すように、リーフ状プレート２〜５を畳んでリーフ状プレート２〜５を重ね合わせることにより、全体を１枚のフラットなプレート状態にできる構成とされている。このように、リーフ状プレート２〜５を畳んで重ね合わせることにより、全体を１枚のフラットなプレートの状態にして取り扱えると、使い勝手の面で有利である。例えば、畳んで重ね合わせてフラットにしたアピール用表示プレート１を幾つも積み重ねると、大きなスペースを占めることがないので、保管や搬送に極めて便利である。
【００３１】
次に、以上に説明した構成を有する実施形態１のアピール用表示プレート１の使用方法を、具体的に説明する。
【００３２】
パチンコ店の店員は、随時あるいは適時、リーフ状プレート２〜５を畳み合わせてフラットにしたアピール用表示プレート１を幾つか重ね、手に携えて店内を巡回しながら、パチンコ台がヒットして大量出球を実現した客があると、リーフ状プレート２〜５を拡げ延ばして立体化したアピール用表示プレート１を、図４に示すように、球入れ箱６のパチンコ球Ｐの山へ挿着する。図４に示すように、アピール用表示プレート１の脚片であるリーフ状プレート２〜５の挿着側もしくは立置側の端部２Ａ〜５Ａを、大量出球で球入れ箱６から溢れるばかりになったパチンコ球Ｐの山へ押し入れて、挿着してゆくのである。
【００３３】
このように、実施形態１のアピール用表示プレート１を使う場合、リーフ状プレート２〜５を拡げ延ばしてからリーフ状プレート２〜５の挿着側ないし立置側の端部２Ａ〜５Ａをパチンコ球Ｐの山に押し入れるだけで、立体式出球アピール用表示プレート１が挿着できるので、使い勝手が頗るよい。
【００３４】
加えて、実施形態１のアピール用表示プレート１の場合、挿着状態では、アピール用表示ＰＡ，ＰＢが表面に施されている４枚の各リーフ状プレート２〜５は、全て１つに纏まっている一側縁２ａ〜５ａから対向する他側縁２ｂ〜５ｂへ向けて放射状に延びて、他側縁２ｂ〜５ｂが全て四方に適当な間隔で散開していて、アピール用表示プレート１を見る方向の如何にかかわらず、アピール用表示プレート１を見た時に、アピール用表示ＰＡ，ＰＢが非常に目に止まり易いので、視覚的面白さに溢れたアピール用表示ＰＡ，ＰＢがアピール力を存分に発揮できる。
【００３５】
加えて、挿着されたアピール用表示プレート１は４枚のリーフ状プレート２〜５が放射状に開いて、全体の形が立体的となるので、アピール用表示プレート１そのものが目立ち易く、アピール用表示ＰＡ，ＰＢがアピール力を発揮できる確率が高い。
【００３６】
よって、実施形態１の立体式アピール用表示プレート１によれば、アピール力を十二分に発揮することができるうえ、勝手よく使うことができる。
【００３７】
なお、図５（ａ）〜図５（ｃ）に示すように、アピール用表示プレート１に比べて、寸法が小さい他はアピール用表示プレート１と相似形状のアピール用表示プレート１Ａ，１Ｂも、本考案の実施形態１の変形形態として挙げられる。
【００３８】
一軒のパチンコ店で３種類のアピール用表示プレート１，１Ａ，１Ｂを併用し、同一の場合、更には同一の球入れ箱６で大きさの違う複数のアピール用表示プレートを挿着すると、一層見栄えが良くなり賑やかな雰囲気となって、アピール用表示ＰＡ，ＰＢのアピール力が一層効果的に発揮されることになる。
【００３９】
〔実施形態２〕
つぎに、実施形態２の出球アピール表示プレートを、図面を参照しながら説明する。図６は実施形態２のアピール表示プレート７を分解状態で示す平面図である。実施形態２の場合は、アピール用表示Ｐａ，Ｐｂが表裏の両表面に施されている４枚のリーフ状プレート８〜１１を備えている他は、実施形態１と同一であるので、相違点を中心に説明し、共通点の説明は省略する。
【００４０】
リーフ状プレート８〜１１は、実施形態１に比べ、アピール用表示Ｐａ，Ｐｂの表現が強い印象を有するのに加えて、リーフ状プレートの形も目立つので、アピール力は大きい。また、各リーフ状プレート８〜１１の挿着側もしくは立置側の端部８Ａ〜１１Ａが、プレート挿着用もしくはプレート立置用の脚片となっている。
【００４１】
実施形態２の場合、図６の左側に示すように、可撓性をもつ一方のプレート基材Ｐｂ１には、両リーフ状プレート８，９の一側縁８ａ，９ａ寄りの両端側が一定寸法の長さの処だけ繋ぎ目Ｐｂ１ａ，Ｐｂ１ｂのままで残る以外は、切り離す切り込みＰｂ１Ａが入れられていることにより、２枚のリーフ状プレート８，９となっている。
【００４２】
逆に、可撓性をもつ他方のプレート基材Ｐｂ２には、図６の右側に示すように、一方のプレート基材Ｐｂ１の切れ込みＰｂ１Ａに対応する処だけ繋ぎ目Ｐｂ２ａのままで残る以外は、切り離す切り込みＰｂ２Ａ，Ｐｂ２Ｂが一側縁１０ａ，１１ａ寄りの両端側から入れられていることによって、残り２枚のリーフ状プレート１０，１１となっている。
【００４３】
さらに、一方と他方のプレート基材Ｐｂ１，Ｐｂ２は、互いに継ぎ目Ｐｂ１ａ，Ｐｂ１ｂ，Ｐｂ２ａが相手側の切り込みＰｂ１Ａ，Ｐｂ２Ａ，Ｐｂ２Ｂに嵌め込まれて直交状態もしくは斜交状態で組み付けられていることによって、各リーフ状プレート８〜１１は、一側縁８ａ〜１１ａが全て１つに纏まっている一方で、一側縁８ａ〜１１ａと対向する他側縁８ｂ〜１１ｂに向けて放射状に拡がって、他側縁８ｂ〜１１ｂが全て散開している状態となっている。
【００４４】
そして、実施形態１と同様、実施形態２の場合も、２枚のリーフ状プレート８，９の大きさと可撓性を持つ２枚のプレート基材Ｐｂ１と、２枚のリーフ状プレート１０，１１の大きさと可撓性を持つ２枚のプレート基材Ｐｂ２とに対して切り込みを入れてから、プレート基材Ｐｂ１，Ｐｂ２の可撓性を利用して、互いに継ぎ目Ｐｂ１ａ，Ｐｂ１ｂ，Ｐｂ２ａを相手側の切り込みＰｂ１Ａ，Ｐｂ２Ａ，Ｐｂ２Ｂに嵌め込んで、プレート基材Ｐｂ１，Ｐｂ２同士が直交状態もしくは斜交状態で組み付ける程度の簡単な作業で、４枚のリーフ状プレート８〜１１を備えた実施形態２の出球アピール用表示プレート７の機械加工と組み立てを行なうことができる。
【００４５】
〔別実施の形態〕
（１）上記実施形態１の場合、アピール用表示プレート１を球入れ箱６に挿着するようにしたが、実施形態１．アピール用表示プレート１は、図７に示すように、パチンコ台１２の上側に取り付けられたプレートキャッチャー１３に、図８（ａ）や図８（ｂ）に示すように、挿着されてもよい。プレートキャッチャー１３は、４つの挟み付けピース１３Ａ〜１３Ａからなり、アピール用表示プレート１の脚片である端部２Ａ〜５Ａを挟み付けピース１３Ａ〜１３Ａの間の十字の合わせ目に押し込むと、挟み付けピース１３Ａ〜１３Ａで端部２Ａ〜５Ａが挟み付けられて、アピール用表示プレート１が挿着状態となる。実施形態２のアピール用表示プレート７についても、同様にプレートキャッチャー１３に挿着できる。
（２）実施形態１，２のアピール用表示プレート１，７の場合、リーフ状プレート２〜５，８〜１１それぞれ各１枚毎に各アピール用表示ＰＡ，ＰＢ，Ｐａ，Ｐｂが１つのアピールを表現する構成であったが、複数枚のリーフ状プレートのアピール用表示が協働して１つのアピールを表現する構成であってもよい。
（３）実施形態１，２のアピール用表示プレート１，７の場合、１枚のプレート基材が２枚のリーフ状プレートとなる構成であったが、各リーフ状プレートがそれぞれ別体として作成し一側縁で１つに纏める構成としてもよい。
（４）実施形態１，２はアピール用表示プレート７はパチンコ用であったが、本考案のアピール用表示プレートはスロットマシーンにも適用できる。スロットマシーン用の場合、マシーンでの大量出コインの出現をアピールする為にパチンコ用の時と同様に使用することになる。
（５）本考案のアピール用表示プレートは、遊戯ゲーム店以外に、各種スーパーのような量販店などで、お買い得品などをアピールする店頭広告として用いることができる。
（６）本考案のアピール用表示プレートは挿着に限らず、ただ据え置いて立置状態で使用することもできる。
（７）実施形態１，２のアピール用表示プレート１，７の場合、それぞれ４枚のリーフ状プレートを備えていたが、リーフプレートが３枚で概ね１２０°間隔で散開している他は、実施形態と同一構成の表示プレートを、別実施の形態として挙げられる。
（８）本考案に適用できるリーフ状プレートは、紙製、樹脂製、金属製など、挿着あるいは立置可能であればよい。
【図面の簡単な説明】
【００４６】
【図１】実施形態１の立体式出球アピール表示プレートを立置状態で示す斜視図
【図２】実施形態１のアピール表示プレートを分解状態で示す平面図
【図３】実施形態１のアピール表示プレートを折り畳み状態で示す斜視図
【図４】実施形態１のアピール表示プレートの挿着状態を示す斜視図
【図５】実施形態１の変形例に係るアピール表示プレートを示す図であり、（ａ）は実施形態１を示す斜視図であって、（ｂ），（ｃ）は変形例をそれぞれ示す斜視図
【図６】実施形態２のアピール表示プレートを分解状態で示す平面図
【図７】アピール表示プレート挿着用のプレートキャッチャーを示す正面図
【図８】プレートキャッチャーにアピール表示プレートを挿着した状態を示す図であり、（ａ）は正面図であって、（ｂ）は立面図
【図９】従来のアピール表示プレートを示す正面図
【図１０】従来のアピール表示プレートの挿着状態を示す斜視図
【符号の説明】
【００４７】
１，１Ａ，１Ｂ，７            アピール用表示プレート
２〜５，８〜１１              リーフ状プレート
２ａ〜５ａ，８ａ〜１１ａ      一側縁
２ｂ〜５ｂ，８ｂ〜１１ｂ      他側縁
２Ａ〜５Ａ，                  端部（脚片）
６，１２                      球入れ箱
ＰＡ，ＰＢ，Ｐａ，Ｐｂ        アピール用表示
ＰＢ１，ＰＢ２                プレート基材
Ｐｂ１，Ｐｂ２                プレート基材
ＰＢ１ａ，ＰＢ１ｂ，ＰＢ２ａ  繋ぎ目
Ｐｂ１ａ，Ｐｂ１ｂ，Ｐｂ２ａ  繋ぎ目
ＰＢ１Ａ，ＰＢ２Ａ，ＰＢ２Ｂ  切り込み
Ｐｂ１Ａ，Ｐｂ２Ａ，Ｐｂ２Ｂ  切り込み
【図１】
0003113865.tif 000003
【図２】
0003113865.tif 000004
【図３】
0003113865.tif 000005
【図４】
0003113865.tif 000006
【図５】
0003113865.tif 000007
【図６】
0003113865.tif 000008
【図７】
0003113865.tif 000009
【図８】
0003113865.tif 000010
【図９】
0003113865.tif 000011
【図１０】
0003113865.tif 000012